(57)【要約】      （修正有）【課題】構造がシンプルであり、安定的に支えることができ、使用しやすいという利点を有し、頸椎を牽引して脊椎後弯を効果的に矯正することができる新型牽引枕を提供する。【解決手段】新型牽引枕は、一方側が頸肩部にフィットする傾斜曲面を呈し、傾斜曲面の高端部が、両側が高く中央部が低いＭ字形となる枕本体１と、枕本体の傾斜曲面の低位端に固設され、且つ外部載置面と面一となる支持面２と、枕本体の傾斜曲面の高位端の両側に設けられ、且つ底部が外部載置面と面一となる支持部３とを、含み、枕本体は、支持面及び支持部と連携してユーザーの頸肩部を支持するために使用される。枕本体の傾斜曲面には、頸部曲線に対応する複数の押圧凸点４がさらに設けられる。押圧凸点は、枕本体に埋め込まれた磁石である。【選択図】図１
0003231902.tif 000002
【実用新案登録請求の範囲】
【請求項１】
一方側が頸肩部にフィットする傾斜曲面を呈し、前記傾斜曲面の高位端部が、両側が高く中央部が低いＭ字形である枕本体（１）と、
前記枕本体（１）の傾斜曲面の低位端に固設され、且つ外部載置面と面一となる支持面（２）と、
前記枕本体（１）の傾斜曲面の高位端の両側に設けられ、且つ底部が外部載置面と面一となる支持部（３）とを含み、
前記枕本体（１）は、前記支持面（２）と前記支持部（３）と連携して、ユーザーの頸肩部を支持するために使用されることを特徴とする、
新型牽引枕。
【請求項２】
前記枕本体（１）の傾斜曲面には、頸部曲線に対応する複数の押圧凸点（４）がさらに設けられることを特徴とする、
請求項１に記載の新型牽引枕。
【請求項３】
前記押圧凸点（４）は、前記枕本体（１）に埋め込まれた磁石であることを特徴とする、
請求項２に記載の新型牽引枕。
【請求項４】
前記枕本体（１）において、前記支持面（２）と前記支持部（３）との間にはＵ字形溝が設けられることを特徴とする、
請求項１に記載の新型牽引枕。
【請求項５】
前記支持部（３）の前記支持面（２）に近い一方側と前記枕本体（１）の前記Ｕ字形溝の内側壁には、複数の補強リブ（５）が対応して設けられ、前記支持部（３）の補強リブ（５）が前記枕本体（１）の補強リブ（５）に接続されることを特徴とする、
請求項４に記載の新型牽引枕。
【請求項６】
前記枕本体（１）の材料は、半硬質スキン層付きポリウレタンフォームであることを特徴とする、
請求項１に記載の新型牽引枕。
【請求項７】
前記枕本体（１）、前記支持面（２）及び前記支持部（３）は一体成形されていることを特徴とする、
請求項１に記載の新型牽引枕。
【考案の詳細な説明】
【技術分野】
【０００１】
本考案は、ヘルスケア機器の技術分野に関し、特に、新型牽引枕に関する。
【背景技術】
【０００２】
人間は、３分の１の時間寝ているので、枕は日常生活に不可欠なものである。現代人の生活や仕事の習慣により、頸部の疾患が多くなり、頸部の痛み、不眠症、頸椎症などは、人間の健康に深刻な影響を及ぼす。
【０００３】
従来の枕及び頸椎用枕の多くは、ほとんどが直方体であり、且つ綿やその他の詰め物で満たされている。そして、これらの枕は、頸部ではなく頭部だけのために設計されるものである。これらの枕は、頸部に支持力を提供して頸椎の正常な生理的湾曲を維持することを意図していないため、改善する余裕がある。
【考案の概要】
【考案が解決しようとする課題】
【０００４】
本考案の目的は、従来技術の欠陥及び欠点に対して、構造がシンプルであり、安定的に支えることができ、使用しやすいという利点を有し、また、頸椎を牽引して脊椎後弯を効果的に矯正することができ、それにより、頸椎症を治療したり症状を緩和したりし、また、使用中に磁気押圧凸点で頸肩部に対して磁気治療を施すという利点を有する新型牽引枕を提供することである。
【課題を解決するための手段】
【０００５】
上記の目的を達成するために、本考案が採用する技術案は、次のとおりである。新型牽引枕であって、一方側が頸肩部にフィットする傾斜曲面を呈し、前記傾斜曲面の高位端部が、両側が高く中央部が低いＭ字形である枕本体と、前記枕本体の傾斜曲面の低位端に固設され、且つ外部載置面と面一となる支持面と、前記枕本体の傾斜曲面の高位端の両側に設けられ、底部が外部載置面と面一となる支持部とを含み、前記枕本体は、前記支持面と前記支持部と連携してユーザーの頸肩部を支持するために使用される。
【０００６】
前記枕本体の傾斜曲面には、頸部曲線に対応する複数の押圧凸点がさらに設けられる。
【０００７】
前記押圧凸点は、前記枕本体に埋め込まれた磁石である。
【０００８】
前記枕本体において、前記支持面と前記支持部との間には、Ｕ字形溝が設けられる。
【０００９】
前記支持部の前記支持面に近い一方側と前記枕本体の前記Ｕ字形溝の内側壁には、複数の補強リブが対応して設けられ、前記支持部の補強リブは、前記枕本体の補強リブに接続される。
【００１０】
前記枕本体の材料は、半硬質スキン層付きポリウレタンフォームである。
【００１１】
前記枕本体、前記支持面及び前記支持部は一体成形されている。
【考案の効果】
【００１２】
上記技術案を採用すると、本考案の有益な効果は次のとおりである。本考案の牽引枕は、構造がシンプルであり、安定的に支えることができ、組み立てる必要がなく、ケーブルがなく、使用しやすい。よって、慢性的な痛みの循環を緩和するために、患者が自宅で定期的に使用するのに非常に適しており、頭部、肩部及び頸部の重量を利用して正しい牽引力を提供するため、非常に安全である。また、枕本体の傾斜曲面の特別な設計により、頸椎の自然な曲線を支えて、頸部の筋肉を軽く伸ばすことにより、頸椎を牽引して脊椎後弯を効果的に矯正することができ、それにより、頸椎症を治療したり症状を緩和する。また、磁石による磁気療法を利用して頸椎症を治療するとともに、症状を緩和するという効果を達成することができる。
【図面の簡単な説明】
【００１３】
本考案の実施例又は従来技術の技術案をより明確に説明するために、以下、実施例又は従来技術の説明に必要な図面を簡単に説明する。当然ながら、以下の説明における図面は、本考案のいくつかの実施例に過ぎず、当業者であれば、創造的な努力を必要とせずに、これらの図面に基づいて他の図面を想到しうる。
【図１】本考案の構造模式図一である。
【図２】本考案の構造模式図二である。
【考案を実施するための形態】
【００１４】
以下、図面を参照しながら本考案をさらに詳細に説明する。
【００１５】
この特定の実施例は、本考案を説明するためのものに過ぎず、本考案を限定するものではない。当業者であれば、本明細書に基づいて必要に応じて本実施例に対して何の貢献も生じない修正を行うことができるが、本考案の実用新案登録請求の範囲内であれば、実用新案法又は特許法により保護される。
【００１６】
本実施例は、図１〜２に示すように、枕本体１、支持面２、及び支持部３を含む新型牽引枕に関する。
【００１７】
枕本体１は、一方側が頸肩部にフィットする傾斜曲面を呈し、傾斜曲面の高位端部が、両側が高く中央部が低いＭ字形である。支持面２は、枕本体１の傾斜曲面の低位端に固設され、且つ外部載置面と面一となる。支持部３は、枕本体１の傾斜曲面の高位端の両側に設けられ、支持部３の底部は、外部載置面と面一となり、枕本体１は、支持面２と支持部３と連携して、ユーザーの頸肩部を支持するために使用される。
【００１８】
なお、枕本体１の傾斜曲面の高位端は、両側が高く中央部が低いＭ字形であるため、首にさらにフィットすることができるとともに、頸部に対して制限固定支持の役割を果たすことができ、ユーザーが正しく使用できるようにガイドするのに役立つ。
【００１９】
好ましくは、支持部３と枕本体１とは円弧状をもって接続される。使用する際に、首は、枕本体１の傾斜曲面にフィットし、頭部は、枕本体１の第２の支持部３に近い一端に当接する。それにより、頭部、肩部及び頸部の重量を利用して正しい牽引力を提供でき、従って、より安全に使用できる。また、枕本体１の傾斜曲面の特別な設計は、頸椎の自然な曲線を支えて、頸部の筋肉を軽く伸ばすことにより、頸椎を牽引して脊椎後弯を効果的に矯正することができ、それにより、頸椎症を治療したり症状を緩和したりするという効果を実現できる。
【００２０】
好ましくは、枕本体１の傾斜曲面には、頸部曲線に対応する複数の押圧凸点４がさらに設けられる。したがって、使用する際に、押圧凸点４５により頸椎の両側の筋肉を押圧してリラックスさせることにより、筋肉の疲労を緩和することもできる。本実施例では、押圧凸点４は、枕本体１に埋め込まれた磁石である。押圧凸点４により頸椎の両側の筋肉を押圧してリラックスさせると同時に、押圧凸点４により生じた磁場により、体内の生体磁場を調整し、誘導された微小電流を生成し、細胞膜の透過性を変更し、特定の酵素の活性を変更し、血管を拡張して血流を加速する。それにより、鎮痛や腫れの軽減等の補助的な治療効果を達成でき、このため、新型牽引枕は、より良い物理療法の効果を有するようになる。
【００２１】
枕本体１において支持面２と支持部３との間には、Ｕ字形溝が設けられる。それにより、構造を安定化させ、材料を節約し、製造コストを削減させることができる。好ましくは、枕本体１の材料は、半硬質スキン層付きポリウレタンフォームであり、高密度と高圧縮強度を有しており、支持性を有するとともに、緩衝性や微小弾性を有しているため、使用の快適さを大幅に改善できる。
【００２２】
支持部３の支持面２に近い一方側と枕本体１のＵ字形溝の内側壁には、複数の補強リブ５が対応して設けられており、支持部３の補強リブ５は、枕本体１の補強リブ５に接続されている。本実施例では、枕本体１、支持面２、支持部３及び補強リブ５はいずれも一体成形されている。補強リブ５は、円弧状に設けられており、補強リブ５は、該新型牽引枕の構造安定性をさらに向上させ、使用効果をさらに確保するために使用される。
【００２３】
本考案の動作原理は以下のとおりである。本実施例の牽引枕は、構造がシンプルであり、安定的に支えることができ、組み立てる必要がなく、ケーブルがなく、使用しやすいため、慢性的な痛みの循環を緩和するために、患者が自宅で定期的に使用するのに非常に適している。頭部、肩部及び頸部の重量を利用して正しい牽引力を提供するため、非常に安全である。また、枕本体１１の傾斜面の特別な設計は、頸椎の自然な曲線を支えて、頸部の筋肉を軽く伸ばすことにより、頸椎を牽引して脊椎後弯を効果的に矯正することができる。それにより、頸椎症を治療したり症状を緩和したりし、また、磁石による磁気療法を利用して頸椎症をさらに治療するとともに、症状を緩和することができる。
【００２４】
以上は、本考案の技術案を説明するためにのみ使用され、技術案を限定するものではない。当業者が本考案の技術案に対して行う他の修正や同等の置換は、本考案の技術案の精神及び範囲から逸脱しない限り、いずれも実用新案登録請求の範囲に含まれるものとする。
【符号の説明】
【００２５】
１、枕本体
２、支持面
３、支持部
４、押圧凸点
５、補強リブ
【図１】
0003231902.tif 000003
【図２】
0003231902.tif 000004